(57)【要約】貴金属と宝石で装飾され、表面に形成された美しい三次元パターンを有し、それによってユーザに洗練さを提供する、金融取引機能を提供するための特別会員用プラスチックカードが開示される。プラスチックカードは、複数の薄い合成樹脂シート層を熱接合してカードシートを形成し、このカードシートを多数の矩形仕上げカードにダイカットし、情報を記録するための磁気テープを仕上げカードに貼着するか又はＩＣチップを仕上げカードに埋め込むことによって製造される。プラスチックカードは、プラスチックカード１０の表面上に形成された結合ホール１１と、貴金属で作られ、結合ホール１１内に挿入されるリベット２０と、を備え、リベット２０は、リベット２０が結合ホール１１に挿入された状態でリベットの下部を押圧することによって結合ホール１１に形成及び固定されるヘッド２０ａと、リベット２０の上部に強固に固定される宝石２１と、を有する。【選択図】図１
2008526581.tif 000002
【特許請求の範囲】
【請求項１】
複数の薄い合成樹脂シート層を熱接合してカードシートを形成し、このカードシートを多数の矩形仕上げカードにダイカットし、情報を記録するための磁気テープを仕上げカードに貼着する又はＩＣチップを仕上げカードに埋め込むことによって製造される、金融取引機能を提供するための特別会員用プラスチックカードであって、
プラスチックカード１０の表面上に形成される結合ホール１１と、
貴金属で作られ、且つ結合ホール１０内に挿入されるリベット２０と、を備え、
リベット２０は、
リベット２０が結合ホール１１に挿入された状態でリベット２０の下部を押圧することによって結合ホール１１に形成及び固定されるヘッド２０ａと、
リベット２０の上部に強固に固定される宝石２１と、を有する、
特別会員用プラスチックカード。
【請求項２】
リベット２０は、金、プラチナ、銀等のような貴金属材料の一つから作られ、且つ宝石２１は、ダイアモンド、エメラルド、サファイア、ルビー、ヒスイ、合成宝石、及び人造宝石よりなる群から選択されたいずれか一つである、請求項１に記載の特別会員用プラスチックカード。
【請求項３】
凹凸形状の特別にデザインされた三次元パターン１２が、凹凸部を有するモールドを加熱圧縮することによってプラスチックカード１０の表面上に形成される、請求項１に記載の特別会員用のプラスチックカード。
【発明の詳細な説明】
【技術分野】
【０００１】
本発明は、特別会員用プラスチックカードに関し、より具体的には、貴金属と宝石で装飾され、表面に形成された美しい三次元立体構造を有し、それによってユーザに洗練さを提供する特別会員用プラスチックカードに関する。
【背景技術】
【０００２】
一般的に、プラスチックカードは、クレジットカード、キャッシュカード、又は輸送機関カードのように現金の代わりに使用されることができ、あるいは、診察カードやメンバーシップカードとして利用されることができる。プラスチックカードは、製品価格やサービス価格の支払いのための支払猶予期間を検証するための特定の会員に対して発行される一種のプラスチック貨幣であり、現在広く使用されている。今日、顧客のクレジットレベルに従って差別化される、多くの種類の多数のプラスチックカードがある。
【０００３】
高いクレジットレベルの個人であるＶＩＰ顧客に対して提供されるゴールドカードが広く使用されている。最近、白金カードを意味し、ゴールドカードよりもレベルが高く、差別化されたサービスと価値で会員を満足させるために開発されたプラチナカードが使用される。
【０００４】
しかしながら、ゴールドカードは、金色で被覆されて洗練さを提供するために、差別化された外観を有するが、プラチナカードは、単に白金の外見を表すために銀色で被覆されているので、ゴールドカードよりも外観の洗練さが劣っている。従って、ゴールドカードよりも外観において美しく且つ洗練さにおいて高いプラチナカードの差し迫った必要性がある。
【発明の開示】
【発明が解決しようとする課題】
【０００５】
従って、本発明は、従来の技術で発生する上記問題を解決するために行われ、本発明の目的は、貴金属と宝石で装飾され、表面に形成された美しい三次元立体構造を有し、それによってユーザに洗練さを提供する特別会員用プラスチックカードを提供することである。
【課題を解決するための手段】
【０００６】
上記目的を達成するために、本発明は、複数の薄い合成樹脂シート層を熱接合してカードシートを形成し、このカードシートを多数の矩形仕上げカードにダイカットし、情報を記録するための磁気テープを仕上げカードに貼着する又はＩＣチップを仕上げカードに埋め込むことによって製造される、金融取引機能を提供するための特別会員用プラスチックカードであって、プラスチックカードの表面上に形成される結合ホール１１と、貴金属で作られ、且つ結合ホール内に挿入されるリベットと、を備え、リベットは、リベットが結合ホールに挿入された状態でリベットの下部を押圧することによって結合ホールに形成及び固定されるヘッドと、リベットの上部に強固に固定される宝石と、を有する、特別会員用プラスチックカードを提供する。
【発明の効果】
【０００７】
本発明の従って、貴金属のリベット２０は、プラスチックカード１０の中心に形成される結合ホール１１と連結され、ダイアモンドのような宝石２１がリベット２０に固定され、それによってプラスチックカード１０は宝石及び貴金属のような豪華な装飾品に装飾され、美しい外観を示し、且つ最高の洗練さを提供する。更に、本発明は、それが、凹凸形状の特別にデザインされた三次元立体構造１２及び美しい外観を通して独自の質感を提供するので、特別会員に非常に相応しいより高いグレードのプラスチックカード１０を実現できる。従って、本発明に従う特別会員用プラスチックカードは、国際的な競争力を一層高める。
【発明を実施するための最良の形態】
【０００８】
添付の図面に例が描かれている、本発明に従う好適な実施の形態が詳細に参照される。
【実施例】
【０００９】
図１乃至図３に示されているように、本発明に従うプラスチックカード１０は、厚みが約０．８ｍｍのカードシートを形成するために５枚乃至７枚の薄い合成樹脂シート層の熱接合を行うステップと、このカードシートを多数の矩形仕上げカードにダイカットするステップを実行することによって製造される。
【００１０】
ユーザの金融取引の目的で、情報を記録するための磁気テープがプラスチックカードに貼着されるか又はＩＣチップがプラスチックカードに埋め込まれる。
【００１１】
勿論、上記のように構成されたプラスチックカード１０は、広く知られている。しかしながら、本発明の最も重要な特徴は、本発明の特別会員用カードを製造するために、プラスチックカード１０が、ユーザに洗練さを提供するように貴金属と宝石で装飾されることにある。
【００１２】
プラスチックカード１０は、その中心に形成される結合ホール１１と、貴金属で作られると共にその結合ホール１１内に挿入されるリベット２０と、を含む。
【００１３】
リベット２０は、金、プラチナ又は銀等の貴金属で作られ、中空チューブ形状である。
【００１４】
リベット２０が、結合ホール１１内に挿入された状態において、リベット２０の下部が押圧された時に、ヘッド２０ａが形成され、従って、結合ホール１１内に挿入されたリベット２０は、強固に結合ホール１１に固定される。
【００１５】
更に、宝石２１は、チューブ形状のリベット２０の上部に強固に固定される。
【００１６】
宝石２１は、宝石２１が貴金属チューブであるリベット２０の上部に嵌合された状態で、リベット２０の上部が加熱された時に溶融されるリベット２０と一体的に締着される。宝石２１が強固に固定されたリベット２０は、プラスチックカード１０に形成される結合ホール１１に挿入されて固定される。
【００１７】
宝石２１は、ダイアモンド、エメラルド、サファイア、ルビー、ヒスイ等のような高価な宝石の一つであってもよいが、状況によっては、合成宝石のような高価でない人造宝石であってもよい。従って、本発明は、高級な宝石に制限されない。
【００１８】
しかしながら、プラチナカードの特別な品質を示すために、カードにプラチナ製のリベット２０とダイアモンドの宝石２１で装飾することによって、カードの洗練さを高めることが好ましい。
【００１９】
本発明は、貴金属のリベット２０がプラスチックカード１０の中心に形成された結合ホール１１と連結され、且つダイアモンドのような宝石２１が、リベット２０に固定され、それによってプラスチックカード１０は宝石及び貴金属のような豪華な装飾品で装飾され、美しい外観を示すことができると共に最高の洗練さを提供するので、特別会員の高貴さに非常に相応しいより高いグレードのプラスチックカードを提供できる。
【００２０】
一方、プラスチックカード１０は、特別にデザインされ且つ表面上に形成された凹凸形状の立体的パターン１２を有する。立体的パターン１２は、複数の合成樹脂シートが積層され、且つ熱によって接合される時に、ヒータが取り付けられた上モールド上に形成された凹凸パターンを熱的に圧迫するような方法でエンボス加工によって形成される。
【００２１】
従って、本発明は、本発明が凹凸形状の特別にデザインされた三次元パターン１２と美しい外観を介して独自の質感を提供するので、特別会員に非常に相応しいより高いグレードのプラスチックカード１０を実現できる。
【００２２】
図面中、説明していない参照番号３０は、プラスチックカード１０の表面に付されたホログラムを指し、参照番号３１は、会社のエンブレムを指すプリントである。
【００２３】
本発明は、特定の例示に実施の形態を参照して記述されたが、本発明は、これらの実施の形態によって制限されるのではなくて、添付の特許請求の範囲によってのみ制限される。当業者は、本発明の範囲と精神から逸脱することなくこれらの実施の形態を変更や修正できることは十分に理解されるべきである。
【産業上の利用可能性】
【００２４】
上述したように、貴金属のリベット２０は、プラスチックカード１０の中心に形成される結合ホール１１と連結され、ダイアモンドのような宝石２１がリベット２０に固定され、それによってプラスチックカード１０が宝石及び貴金属のような豪華な装飾品に装飾され、美しい外観を示し、且つ最高の洗練さを提供する。更に、本発明は、それが、凹凸形状の特別にデザインされた三次元立体構造１２及び美しい外観を通して独自の質感を提供するので、特別会員に非常に相応しいより高いグレードのプラスチックカード１０を実現できる。従って、本発明に従う特別会員用プラスチックカードは、国際的な競争力を一層高める。
【図面の簡単な説明】
【００２５】
【図１】本発明に従うプラスチックカードを示す斜視図である。
【図２】本発明に従うプラスチックカードの分解斜視図である。
【図３】本発明に従うプラスチックカードの断面図である。
【図１】
2008526581.tif 000003
【図２】
2008526581.tif 000004
【図３】
2008526581.tif 000005
【国際調査報告】
2008526581.tif 000006
2008526581.tif 000007